(57)【要約】【課題】直流電動機の起動時における同期運転を確実に行うとともに脱調状態が生じたときには起動から短時間で検出する。【解決手段】直流電動機１０は回転子２と３相の固定子巻線１ｕ，１ｖ，１ｗと固定子磁極を備える。位置検出回路４は固定子巻線１ｕ，１ｖ，１ｗの端子電圧を監視して回転子２の回転位置を求め、インバータ回路３および制御回路５は位置検出回路４で求めた回転子２の位置に基づいて直流電動機１０の固定子巻線１ｕ，１ｖ，１ｗへの通電を制御する。制御回路５は、固定子巻線１ｕ，１ｖ，１ｗの転流の周波数が規定の周波数に達するまで同期運転を行う。同期運転中には固定子巻線１ｕ，１ｖ，１ｗの転流後の規定時点と次の転流前の規定時点との両時点における固定子巻線１ｕ，１ｖ，１ｗの通過電流の差を求め、通過電流の差が閾値以下のときに脱調状態と判断する。【選択図】        図１
2004229360.tif 000002
【特許請求の範囲】
【請求項１】
複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機を駆動する方法であって、回転子の回転中における固定子巻線の端子電圧を基準電圧と比較することにより求めた回転子の位置に対して規定の位相差で固定子巻線の通電パターンを切り換えるブラシレス運転を行うにあたり、回転子の位置を検出せずに固定子巻線に通電する通電パターンを順次切り換える同期運転を固定子巻線の転流の周波数がブラシレス運転を可能とするように設定した規定の設定周波数に達するまで行い、同期運転の期間においていずれかの固定子巻線の転流後の規定時点と次の転流前の規定時点との両時点における固定子巻線の通過電流の差を求め、通過電流の差が閾値以下のときに脱調状態と判断することを特徴とする直流電動機の駆動方法。
【請求項２】
前記同期運転の期間において脱調が検出されると、転流の周波数に対する印加電圧の比率を大きくして再起動することを特徴とする請求項１記載の直流電動機の駆動方法。
【請求項３】
前記同期運転の期間において脱調が検出されると、脱調状態が解消されるまでの間は、固定子巻線の転流の周波数を変化させずに印加電圧を増加させることを特徴とする請求項１または請求項２記載の直流電動機の駆動方法。
【請求項４】
前記同期運転の期間において固定子巻線の転流から固定子巻線の端子電圧が基準電圧に達するまでの位相差が規定値を超えると、転流の周波数に対する印加電圧の比率を大きくすることを特徴とする請求項１記載の直流電動機の駆動方法。
【請求項５】
前記同期運転の期間において、転流の周波数の変化率が大きいほど転流の周波数に対する印加電圧の比率を大きくすることを特徴とする請求項１記載の直流電動機の駆動方法。
【請求項６】
前記同期運転の期間において、前記設定周波数と同期運転中の実際の転流の周波数との差が大きいほど転流の周波数に対する印加電圧の比率を大きくすることを特徴とする請求項１記載の直流電動機の駆動方法。
【請求項７】
複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機と、回転子の回転中における固定子巻線の端子電圧を基準電圧と比較することにより回転子の位置を検出する位置検出回路と、位置検出回路で求めた回転子の位置に対して規定の位相差で固定子巻線の通電パターンを切り換えるブラシレス運転を行う通電制御手段とを備え、通電制御手段は、回転子の位置を検出せずに固定子巻線に通電する通電パターンを順次切り換える同期運転を固定子巻線の転流の周波数がブラシレス運転を可能とするように設定した規定の設定周波数に達するまで行い、同期運転の期間においていずれかの固定子巻線の転流後の規定時点と次の転流前の規定時点との両時点における固定子巻線の通過電流の差を求め、通過電流の差が閾値以下のときに脱調状態と判断することを特徴とする直流電動機の駆動装置。
【請求項８】
前記通電制御手段は、前記同期運転の期間において脱調を検出すると、転流の周波数に対する印加電圧の比率を大きくして再起動することを特徴とする請求項７の直流電動機の駆動装置。
【請求項９】
前記通電制御手段は、前記同期運転の期間において脱調を検出すると、脱調状態が解消されるまでの間は、固定子巻線の転流の周波数を変化させずに印加電圧を増加させることを特徴とする請求項７または請求項８記載の直流電動機の駆動装置。
【請求項１０】
前記通電制御手段は、前記同期運転の期間において固定子巻線の転流から固定子巻線の端子電圧が基準電圧に達するまでの位相差が規定値を超えたことを検出すると、転流の周波数に対する印加電圧の比率を大きくすることを特徴とする請求項７記載の直流電動機の駆動装置。
【発明の詳細な説明】
【０００１】
【発明の属する技術分野】
本発明は、固定子巻線に生じる誘起電圧に基づいて回転子の位置を検出し、固定子巻線の転流のタイミングを制御する直流電動機の駆動方法および直流電動機の駆動装置に関するものである。
【０００２】
【従来の技術】
一般に、複数個の固定子巻線と、固定子巻線との磁気的に相互作用（つまり、吸引力および反発力）により固定子巻線に対して回転する回転子とを備える構成の直流電動機が提供されている。この種の直流電動機には、回転子の位置を検出せずに各固定子巻線の転流のタイミングを適当に切り換えて回転子を回転させる同期電動機と、回転子の位置を検出するとともに回転子の位置に応じて固定子巻線への通電のタイミングを切り換えるフィードバック制御を行って回転子を回転させるブラシレス電動機とが知られている。ブラシレス電動機における回転子の位置の検出器としてはホール素子が知られているが、ホール素子を用いる代わりに固定子巻線の端子電圧から誘起電圧を検出することによって回転子の位置を検出するブラシレス電動機も知られている。
【０００３】
ところで、回転子が回転していなければ固定子巻線には誘起電圧が生じないから、固定子巻線の端子電圧を監視することによって回転子の位置を検出するブラシレス電動機では、起動時には同期電動機として動作させる必要がある。つまり、この種のブラシレス電動機は、起動時には同期電動機としての動作モードで動作させ（以下、「同期運転」という）、回転子が所定の速度に達した後に、回転子の位置を検出してブラシレス電動機としての動作モードで動作させる（以下、「ブラシレス運転」という）ことになる。
【０００４】
この種の技術としては、起動時に固定子巻線に通電して回転子を所定位置に位置付けた後、所定の周波数で各相の固定子巻線に順に通電することにより、同期運転によって回転子を回転させ、固定子巻線の転流の周波数が設定周波数に達するとブラシレス運転を開始するものが知られている（たとえば、特許文献１参照）。
【０００５】
【特許文献１】
特開平５−２８４７８１号公報（第２−３頁、図１、６）
【０００６】
【発明が解決しようとする課題】
ところで、特許文献１では、同期運転の起動時における転流の周波数を比較的高く設定しておき、起動できない場合には周波数を順次引き下げて起動を試みるという処理を繰り返すことによって、起動可能な周波数に到達させる技術を採用している。また、起動後には脱調しない程度の加速度で回転子の回転速度を加速する旨の記載がある。一方、同期運転中には負荷の変動などによって脱調することがあり、脱調の判断には回転子の回転に伴って生じる誘起電圧を監視する必要がある。
【０００７】
ここで、特許文献１に記載の技術を用いると、電源の投入から回転子が回転を開始するまでに転流の周波数を徐々に引き下げる期間があるから、負荷の大きさなどの条件によっては回転子の回転が開始されるまでの時間が長くなり、結果的に脱調の判断が遅れる可能性がある。
【０００８】
本発明は上記事由に鑑みて為されたものであり、その目的は、起動時における同期運転を確実に行い、しかも、脱調状態が生じたときには起動から短時間で検出することが可能な直流電動機の駆動方法および直流電動機の駆動装置を提供することにある。
【０００９】
【課題を解決するための手段】
請求項１ないし請求項６の発明は直流電動機の駆動方法に関する。
【００１０】
請求項１の発明は、複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機を駆動する方法であって、回転子の回転中における固定子巻線の端子電圧を基準電圧と比較することにより求めた回転子の位置に対して規定の位相差で固定子巻線の通電パターンを切り換えるブラシレス運転を行うにあたり、回転子の位置を検出せずに固定子巻線に通電する通電パターンを順次切り換える同期運転を固定子巻線の転流の周波数がブラシレス運転を可能とするように設定した規定の設定周波数に達するまで行い、同期運転の期間においていずれかの固定子巻線の転流後の規定時点と次の転流前の規定時点との両時点における固定子巻線の通過電流の差を求め、通過電流の差が閾値以下のときに脱調状態と判断することを特徴とする。
【００１１】
請求項２の発明は、請求項１の発明に加えて、前記同期運転の期間において脱調が検出されると、転流の周波数に対する印加電圧の比率を大きくして再起動することを特徴とする。
【００１２】
請求項３の発明は、請求項１または請求項２の発明に加えて、前記同期運転の期間において脱調が検出されると、脱調状態が解消されるまでの間は、固定子巻線の転流の周波数を変化させずに印加電圧を増加させることを特徴とする。
【００１３】
請求項４の発明は、請求項１の発明に加えて、前記同期運転の期間において固定子巻線の転流から固定子巻線の端子電圧が基準電圧に達するまでの位相差が規定値を超えると、転流の周波数に対する印加電圧の比率を大きくすることを特徴とする。
【００１４】
請求項５の発明は、請求項１の発明に加えて、前記同期運転の期間において、転流の周波数の変化率が大きいほど転流の周波数に対する印加電圧の比率を大きくすることを特徴とする。
【００１５】
請求項６の発明では、請求項１の発明に加えて、前記同期運転の期間において、前記設定周波数と同期運転中の実際の転流の周波数との差が大きいほど転流の周波数に対する印加電圧の比率を大きくすることを特徴とする。
【００１６】
請求項７ないし請求項１０の発明は直流電動機の駆動装置に関する。
【００１７】
請求項７の発明は、複数の磁極を有する回転子の回転方向において等間隔に配列された固定子磁極を備えるとともに固定子磁極を励磁することにより回転子と固定子磁極との間の磁気的な相互作用によって回転子を回転させる複数相の固定子巻線を備えた直流電動機と、回転子の回転中における固定子巻線の端子電圧を基準電圧と比較することにより回転子の位置を検出する位置検出回路と、位置検出回路で求めた回転子の位置に対して規定の位相差で固定子巻線の通電パターンを切り換えるブラシレス運転を行う通電制御手段とを備え、通電制御手段は、回転子の位置を検出せずに固定子巻線に通電する通電パターンを順次切り換える同期運転を固定子巻線の転流の周波数がブラシレス運転を可能とするように設定した規定の設定周波数に達するまで行い、同期運転の期間においていずれかの固定子巻線の転流後の規定時点と次の転流前の規定時点との両時点における固定子巻線の通過電流の差を求め、通過電流の差が閾値以下のときに脱調状態と判断することを特徴とする。
【００１８】
請求項８の発明では、請求項７の発明に加えて、前記通電制御手段が、前記同期運転の期間において脱調を検出すると、転流の周波数に対する印加電圧の比率を大きくして再起動することを特徴とする。
【００１９】
請求項９の発明では、請求項７または請求項８の発明に加えて、前記通電制御手段が、前記同期運転の期間において脱調を検出すると、脱調状態が解消されるまでの間は、固定子巻線の転流の周波数を変化させずに印加電圧を増加させることを特徴とする。
【００２０】
請求項１０の発明では、請求項７の発明に加えて、前記通電制御手段が、前記同期運転の期間において固定子巻線の転流から固定子巻線の端子電圧が基準電圧に達するまでの位相差が規定値を超えたことを検出すると、転流の周波数に対する印加電圧の比率を大きくすることを特徴とする。
【００２１】
【発明の実施の形態】
以下に説明する実施形態では、３個の固定子巻線をスター結線するとともに、回転子が回転する形式の３相の直流電動機を例示するが、固定子巻線の相数についてとくに制限はない。また、回転子として永久磁石を用いた例を示すが、回転子に電磁石を用いることも可能である。
【００２２】
（実施形態１）
図１に示すように、直流電動機１０はスター結線された３個の固定子巻線１ｕ，１ｖ，１ｗを備え、固定子巻線１ｕ，１ｖ，１ｗに対応する複数極の固定子磁極（図示せず）を備える。固定子磁極は１つの円周上に６０度間隔で等間隔に配列される。回転子２は固定子磁極を配列した円周の中心を中心として回転可能になるように配置される。また、回転子２は永久磁石を備え回転中心を中心として周方向に複数の磁極を有する。固定子磁極および回転子２の極数は２極、４極、８極など適宜に設定される。回転子２の磁極は固定子磁極との間で磁気的な相互作用が生じるように配置される。ただし、固定子磁極および回転子２の磁極の極数は適宜に選択される。
【００２３】
３個の固定子巻線１ｕ，１ｖ，１ｗには、直流電源Ｅからインバータ回路３を介して電圧が印加される。インバータ回路３は、スイッチング素子Ｑ１ｕ，Ｑ２ｕ、Ｑ１ｖ，Ｑ２ｖ、Ｑ１ｗ，Ｑ２ｗを２個ずつ直列接続した３組の直列回路を直流電源Ｅの両端間にそれぞれ接続し、外部からの制御信号を受けるドライブ回路３ａによって各スイッチング素子Ｑ１ｕ，Ｑ２ｕ、Ｑ１ｖ，Ｑ２ｖ、Ｑ１ｗ，Ｑ２ｗをオンオフさせるように構成されている。また、直列接続された各２個のスイッチング素子Ｑ１ｕ，Ｑ２ｕ、Ｑ１ｖ，Ｑ２ｖ、Ｑ１ｗ，Ｑ２ｗの接続点には各固定子巻線１ｕ，１ｖ，１ｗの一端が接続される。ここに、固定子巻線１ｕ，１ｖ，１ｗはスター結線されているから、各固定子巻線１ｕ，１ｖ，１ｗの他端は当然ながら互いに接続されている。
【００２４】
各スイッチング素子Ｑ１ｕ，Ｑ２ｕ、Ｑ１ｖ，Ｑ２ｖ、Ｑ１ｗ，Ｑ２ｗは、それぞれダイオードＤ１ｕ，Ｄ２ｕ、Ｄ１ｖ，Ｄ２ｖ、Ｄ１ｗ，Ｄ２ｗによる環流経路を備える。環流経路は、スイッチング素子Ｑ１ｕ，Ｑ２ｕ、Ｑ１ｖ，Ｑ２ｖ、Ｑ１ｗ，Ｑ２ｗのオフ時にオン時とは逆向きの電流が通電可能となる経路を意味する。したがって、スイッチング素子Ｑ１ｕ，Ｑ２ｕ、Ｑ１ｖ，Ｑ２ｖ、Ｑ１ｗ，Ｑ２ｗをＭＯＳＦＥＴにより構成する場合には、ＭＯＳＦＥＴのボディダイオードがダイオードＤ１ｕ，Ｄ２ｕ、Ｄ１ｖ，Ｄ２ｖ、Ｄ１ｗ，Ｄ２ｗとして機能することになり、環流経路を形成するための外付部品は不要になる。
【００２５】
各固定子巻線１ｕ，１ｖ，１ｗの上記一端にはそれぞれ固定子巻線１ｕ，１ｖ，１ｗの端子電圧Ｖｕ，Ｖｖ，Ｖｗを監視することによって回転子２の位置を検出する位置検出回路４が設けられる。位置検出回路４は、電圧が印加されていない固定子巻線１ｕ，１ｖ，１ｗの端子電圧Ｖｕ，Ｖｖ，Ｖｗを基準電圧Ｖｔと比較しており、端子電圧Ｖｕ，Ｖｖ，Ｖｗが基準電圧Ｖｔ（直流電源Ｅの２分の１に相当する電圧）を通過する変化点（つまり、端子電圧Ｖｕ，Ｖｖ，Ｖｗと基準電圧Ｖｔとの大小関係の変化点）でタイミング信号である位置検出信号を出力する。また、各固定子巻線１ｕ，１ｖ，１ｗの上記一端には固定子巻線１ｕ，１ｖ，１ｗの通過電流をそれぞれ監視する電流検出回路６が設けられる。電流検出回路６は固定子巻線１ｕ，１ｖ，１ｗの通過電流に応じた電流信号を出力する。位置検出回路４から出力された位置検出信号と電流検出回路６から出力された電流信号とはともに制御回路５に入力され、制御回路５では位置検出信号の発生タイミングと電流信号とに基づいてスイッチング素子Ｑ１ｕ，Ｑ２ｕ、Ｑ１ｖ，Ｑ２ｖ、Ｑ１ｗ，Ｑ２ｗをオンオフさせるための制御信号を生成する。制御回路５からの制御信号はドライブ回路３ａに入力されスイッチング素子Ｑ１ｕ，Ｑ２ｕ、Ｑ１ｖ，Ｑ２ｖ、Ｑ１ｗ，Ｑ２ｗのオンオフを制御する。要するに、インバータ回路３および制御回路５によって固定子巻線１ｕ，１ｖ，１ｗの通電を制御する通電制御手段が構成される。ここに、制御回路５は、たとえばマイクロコンピュータを用いて実現される。
【００２６】
制御回路５では位置検出回路４から出力される位置検出信号に基づいて回転子２の回転速度を監視しており、回転子２の回転速度が速度設定器７によって制御回路５に与えられている目標速度に保たれるように、各スイッチング素子Ｑ１ｕ，Ｑ２ｕ、Ｑ１ｖ，Ｑ２ｖ、Ｑ１ｗ，Ｑ２ｗのＰＷＭ制御を行う。つまり、各スイッチング素子Ｑ１ｕ，Ｑ２ｕ、Ｑ１ｖ，Ｑ２ｖ、Ｑ１ｗ，Ｑ２ｗの通電期間においてスイッチング素子Ｑ１ｕ，Ｑ２ｕ、Ｑ１ｖ，Ｑ２ｖ、Ｑ１ｗ，Ｑ２ｗを高周波でオンオフするチョッパ制御を行うとともに、チョッパ制御の際のオンデューティを調節する。周知のように固定子巻線１ｕ，１ｖ，１ｗに通電するにはスイッチング素子Ｑ１ｕ，Ｑ２ｕ、Ｑ１ｖ，Ｑ２ｖ、Ｑ１ｗ，Ｑ２ｗのうちの２個をオンにする必要があるから、チョッパ制御の際には、固定子巻線１ｕ，１ｖ，１ｗに通電するために用いる２個のスイッチング素子Ｑ１ｕ，Ｑ２ｕ、Ｑ１ｖ，Ｑ２ｖ、Ｑ１ｗ，Ｑ２ｗのうちの一方をオンに保ち、他方を高周波でオンオフさせるようにすればよい。たとえば、固定子巻線１ｕ，１ｖの直列回路に固定子巻線１ｕから固定子巻線１ｖに向かって通電するには、スイッチング素子Ｑ１ｕとスイッチング素子Ｑ２ｖとをオンにする必要があるから、固定子巻線１ｕ，１ｖの直列回路に通電する期間においてスイッチング素子Ｑ１ｕをオンに保つとともにスイッチング素子Ｑ２ｖを高周波でオンオフさせれば、チョッパ制御が可能になる。なお、以下の説明において固定子巻線１ｕ，１ｖ，１ｗの端子電圧Ｖｕ，Ｖｖ，Ｖｗはチョッパ制御による平均値を意味する。つまり、端子電圧Ｖｕ，Ｖｖ，Ｖｗは制御信号のオンデューティに相当する値になる。
【００２７】
本実施形態で説明する直流電動機１０は、基本的には位置検出信号に基づいたフィードバック制御であるブラシレス運転が行われる。つまり、ブラシレス運転では、制御回路５は、位置検出回路４から位置検出信号が出力されると、後述する規定の位相差θｂの後に転流させることによって回転子２に回転力を与える。このとき、位置検出信号が発生する時間間隔に基づいて求めた回転子２の実際の回転速度が速度設定器７から与えられる目標速度に一致するように印加電圧を決定するのであって、求めた印加電圧が得られるようにインバータ回路３のＰＷＭ制御を行うのである。
【００２８】
上述のように、ブラシレス運転を行うには回転子２の位置を検出する必要があり、位置検出回路４では回転子２の回転に伴って生じる誘起電圧を用いて回転子２の位置を検出しているから、回転子２が回転していなければ回転子２の位置を検出することができない。つまり、上述した直流電動機１０ではブラシレス運転で起動することはできない。そこで、直流電動機１０を起動するために、まず同期運転のための励磁を行う制御が採用されている。同期運転によって回転子２の回転が開始された後には、適宜のタイミングでブラシレス運転に移行する。
【００２９】
ところで、同期運転の際に回転子２が正常に回転している場合と、回転子２が脱調した場合とでは、回転子２の回転に伴って生じる誘起電圧の波形が変化する。その結果、固定子巻線１ｕ，１ｖ，１ｗの通過電流の波形にも変化が生じる。以下では、同期運転の際の脱調の有無を固定子巻線１ｕ，１ｖ，１ｗの通過電流の波形の特徴によって検出する技術について説明する。
【００３０】
同期運転時において回転子２が正常に回転しているときの１つの固定子巻線１ｕ，１ｖ，１ｗに関する電流の波形は、誘起電圧の影響によって、図２（ａ）の波形になる。つまり、固定子巻線１ｕ，１ｖ，１ｗの通過電流は、転流による通電開始から次の転流までの期間で徐々に増加する。これに対して、脱調しているときには回転子２が停止しており、回転子２の停止状態では、固定子巻線１ｕ，１ｖ，１ｗはインダクタンス成分と抵抗成分とだけを含むことになり、転流による通電開始から次の転流までの期間では固定子巻線１ｕ，１ｖ，１ｗへの印加電圧と抵抗成分とによって決まる比較的短い時間で電流が増加する。つまり、回転が正常であるときには時間経過に伴って電流が比較的緩やかに増加するが、脱調したときには電流が短時間で増加すると言える。
【００３１】
本実施形態では、上述のような電流波形の相違に基づいて正常状態か脱調状態かを識別するのであって、転流直後の所定時点（図２における６０°＋θ１）と次の転流直前の所定時点（図２における６０°＋θ２）との各電流値ｉ１，ｉ２を電流検出回路６で求め、両電流値ｉ１，ｉ２の差を閾値と比較したときに、電流値ｉ１，ｉ２の差が閾値以下であれば脱調と判断する。
【００３２】
すなわち、図３に示すように、転流すると（Ｓ１）、制御回路５の内部において転流からの位置を計数している位置カウンタをリセットし（Ｓ２）、回転速度と経過時間とに基づいて回転子２の位置を演算する（Ｓ３）。位置が転流直後であるθ１になれば（Ｓ４）、その時点の電流値ｉ１を電流検出回路６の出力から求める（Ｓ５）。さらに、位置の演算を継続し（Ｓ６）、位置が次の転流直前であるθ２になれば（Ｓ７）、その時点の電流値ｉ２を電流検出回路６の出力から求める（Ｓ８）。このようにして求めた電流値ｉ１，ｉ２を用い、ｉ２−ｉ１の値を閾値と比較することで脱調の有無を判定するのである（Ｓ９）。
【００３３】
ところで、本実施形態では同期運転時において負荷の大きさも検出している。同期運転時には負荷が小さければ、図４（ａ）のように、固定子巻線１ｕ，１ｖ，１ｗへの通電により生じる回転磁界と回転子２の回転位置（図４に実線で示す位置）との位相差θ２は比較的小さいが、負荷が大きくなれば、図４（ｂ）のように、回転磁界と回転子２の回転位置との位相差θ３が大きくなる（θ２＞θ３）。言い換えると、回転磁界（つまり、転流を指示するタイミング）に対する回転子２の回転位置（つまり、位置検出回路４で求められる位置検出信号の発生時点）との位相差は負荷が大きいほど大きくなるのである。
【００３４】
本実施形態は、脱調を防止するために、負荷の大きさに合わせてトルクを調節しており、トルクの調節としては固定子巻線１ｕ，１ｖ，１ｗへの印加電圧と転流の周波数との比を変化させる技術を採用している。固定子巻線１ｕ，１ｖ，１ｗへの印加電圧と転流の周波数との比を変化させているのは、転流の周波数が大きくなれば固定子巻線１ｕ，１ｖ，１ｗのインダクタンス成分によるインピーダンスが大きくなって固定子巻線１ｕ，１ｖ，１ｗの通過電流が減少するのに対し、固定子巻線１ｕ，１ｖ，１ｗへの印加電圧を高くすれば固定子巻線１ｕ，１ｖ，１ｗの通過電流が増加するからであり、転流の周波数と印加電圧とを適宜に設定すれば固定子巻線１ｕ，１ｖ，１ｗの通過電流を調節することでトルクを調節することができる。ここで、固定子巻線１ｕ，１ｖ，１ｗへの印加電圧をＶとし転流の周波数をＦとし、図５に直線Ａで示すように、周波数当たりの印加電圧であるＶ／Ｆを大きくすれば、固定子巻線１ｕ，１ｖ，１ｗの通電電流が大きくなってトルクが大きくなり、直線Ｂで示すようにＶ／Ｆを小さくすれば、固定子巻線１ｕ，１ｖ，１ｗの通電電流が小さくなってトルクが小さくなる。
【００３５】
本実施形態では、上述した同期運転中の脱調を検出する技術とトルクを調節する技術とを用い、図６の手順で同期運転中の制御を行う。制御回路５では電源が投入されると、速度設定器７で設定された回転速度（つまり、同期運転からブラシレス運転に移行させる時点の転流の周波数である設定周波数）を読み込み（Ｓ１）、印加電圧Ｖと周波数Ｆとの比Ｖ／Ｆを設定する（Ｓ２）。ここに、設定周波数が高いほど回転子２の加速に必要なトルクが大きくなるから、設定周波数が高いほどＶ／Ｆの値を大きく設定する。Ｖ／Ｆが決まると、同期運転の際の転流の周波数ｆを規定した初期値ｆ１にセットし（Ｓ３）、印加電圧を求めて（Ｓ４）、同期運転を開始する（Ｓ５）。同期運転を開始すると、上述したように固定子巻線１ｕ，１ｖ，１ｗの通過電流により脱調の有無を監視し（Ｓ６）、脱調がなければ転流のタイミングと位置検出信号との位相差を求める。上述したように、この位相差が規定値θＴＬ以下であれば（Ｓ７）、負荷が適正範囲であることを意味しているから、回転子２を加速するために転流の周波数を加速度Δｆ（加速度Δｆについては後述する）だけ増加させる（Ｓ８）。このようにして、周波数を増加させることによってブラシレス運転に移行させることができる周波数に達すると（Ｓ９）、ブラシレス運転に移行する（Ｓ１０）。
【００３６】
一方、ステップＳ６において脱調を検出したときには、トルクが不足していると考えられるから、Ｖ／Ｆの設定値を大きくしてステップＳ３からの制御をやり直す（Ｓ１１）。つまり、転流の周波数に対して印加電圧を大きくすることにより、トルクの設定値を大きくしてから再起動する。また、ステップＳ７において位相差が規定値θＴＬよりも大きい場合には負荷に対するトルクが不足していると考えられるから、この場合にもＶ／Ｆの設定値を大きくする（Ｓ１２）。ステップＳ９において転流の周波数がブラシレス運転に移行する周波数に達していない場合には、設定周波数を再度読み込むとともに（Ｓ１３）、設定周波数をあらかじめ固定値として設定されている加速時間で除算することにより加速度Δｆを求め（Ｓ１４）、この加速度ΔｆからＶ／Ｆを求めて設定する（Ｓ１５）。ステップＳ１４で求めた加速度Δｆが大きいほど必要トルクが大きいから、ステップＳ１５では設定するＶ／Ｆを大きくして発生トルクを大きくする。
【００３７】
図６に示した制御による動作を図７ないし図９に示す。図７はステップＳ６において脱調が検出されたときの動作を示している。図７（ａ）は転流の周波数であって、ｆ１は初期値を示し、ｆ２はブラシレス運転に移行させる周波数を示す。また、図７（ｂ）は印加電圧を示す。図７において、Ｔ１は同期運転の期間、Ｔ２はブラシレス運転の期間を示している。また、図７においては負荷がＴＬ１からＴＬ２（＞ＴＬ１）に変化した場合の例として示してある。
【００３８】
まず、起動時には図７（ａ）のように転流の周波数はｆ１に設定され、このときの負荷ＴＬ１は比較的小さく設定されているものとする。脱調しなければステップＳ８の処理によって図７（ａ）のように周波数が増加する。また、周波数の増加に伴ってＶ／Ｆを大きくするから印加電圧も増加する。ここで、脱調が検出されるとトルクを大きくするために、ステップＳ１１においてＶ／Ｆを大きくするのであるが、ステップＳ３において周波数が初期値ｆ１に低下するから、印加電圧も低下する。ステップＳ６において脱調が検出される状態が継続している間にはＶ／Ｆが増加するが、周波数は初期値ｆ１に保たれるから、印加電圧のみが増加する。
【００３９】
印加電圧の増加に伴ってトルクが大きくなれば、脱調状態を脱出して同期運転が再開されるから、周波数はステップＳ８において増加し、印加電圧は周波数の増加に追随してステップＳ４において増加する。ここで、ブラシレス運転に移行するまでに比較的大きな負荷ＴＬ２に変化したとすると、ステップＳ７において位相差が大きくなるから、トルクを増加させるためにステップＳ１２においてＶ／Ｆが増加する。ここで、加速度Δｆには変化がないから、Ｖ／Ｆの増加に伴って印加電圧が大きくなる。このようにして、転流の周波数がブラシレス運転に移行するための周波数ｆ２に達すると、ブラシレス運転に移行する。
【００４０】
ところで、速度設定器７による設定周波数が異なる場合には、図８に示す動作になる。図８では説明を簡単にするために、同期運転中に脱調は生じないものとし、また同期運転中に負荷の大きさが変化することもないものする。ここでは、大小２段階の設定周波数ｆ３，ｆ４（ｆ３＞ｆ４）を考え、いずれの設定周波数ｆ３，ｆ４も同期運転からブラシレス運転に移行する条件としての周波数ｆ２よりも高く設定される（ｆ３，ｆ４＞ｆ２）。図８では転流の周波数および印加電圧について、実線が設定周波数ｆ３に対応し、破線が設定周波数ｆ４に対応している。図６から明らかなように設定周波数が高いときには、加速度Δｆも大きくなるのであって、結果的に周波数の増加率が大きくなり、そのため印加電圧の増加率も大きくなる。すなわち、図８に実線で示してある高いほうの設定周波数ｆ３に対しては、図８に破線で示してある低いほうの設定周波数ｆ４に比較すると、転流の周波数および印加電圧の増加率は大きくなり、結果的に同期運転の期間Ｔ１は短くなる。また、同期運転からブラシレス運転に移行する時点の印加電圧Ｖ１，Ｖ２も設定周波数が高いほうが大きくなる。
【００４１】
図９は、同期運転中における設定周波数の変化や負荷の急激な変化などによって、加速度Δｆがａ１からａ２（＞ａ１）に変化した場合の動作例を示している。図６のステップＳ１５においては加速度Δｆに対応してＶ／Ｆを変化させているのであって、実際には加速度Δｆが大きくなるとＶ／Ｆを大きくする処理を行う。したがって、図９の加速度ａ２に対応する区間のように加速度Δｆが大きくなり図９（ａ）に示す転流の周波数の変化率が大きくなると、図９（ｂ）に実線で示しているように、Ｖ／Ｆの増加に伴って印加電圧が高くなり、結果的にブラシレス運転に移行する際の電圧Ｖ４が高くなる。なお、図９（ｂ）において加速度ａ２に対応する区間に破線で示している例は、ステップＳ１５の処理を行わず加速度Δｆの変化に対してＶ／Ｆを一定に保った場合の動作であって、この場合には同期運転からブラシレス運転に移行する際の印加電圧Ｖ３が、本実施形態における印加電圧Ｖ４よりも低くなる。
【００４２】
（実施形態２）
本実施形態は、図１０に示すように、図６に示した実施形態１の処理に対してステップＳ１１の行き先をステップＳ３からステップＳ４に変更したものである。つまり、脱調を検出したときに転流の周波数を初期値ｆ１に戻さずに印加電圧を高めて脱調状態から脱出させるものである。
【００４３】
したがって、本実施形態では図７に示した実施形態１の動作に対応する動作は図１１のようになる。図７と図１１とを比較すればわかるように、実施形態１では脱調が検出されると転流の周波数が下がり、それに伴って印加電圧も低下するが、本実施形態では脱調が検出されても転流の周波数は変化せず、印加電圧のみが上昇を続けることになる。つまり、本実施形態の動作では脱調時に転流の周波数を低下させないから、同期運転からブラシレス運転に移行するまでの時間を実施形態１よりも短縮することが可能になる。他の構成および動作は実施形態１と同様である。
【００４４】
なお、上述した各実施形態では図６、図１０に示すステップＳ６において脱調の有無を判断した後に、固定子巻線の転流から固定子巻線の端子電圧が基準電圧に達するまでの位相差が規定値を超えるか否かの判定（ステップＳ７）を行い、また、転流の周波数の変化率を求める演算（ステップＳ１４）が、ステップＳ７，Ｓ１４の後にステップＳ１２，Ｓ１５でＶ／Ｆを設定しているのは、同期運転中において脱調を防止しながらもブラシレス運転への移行をスムーズに行うことが目的であるから、ステップＳ７およびステップＳ１２、ステップＳ１４およびステップＳ１５の処理の少なくとも一方を、脱調の有無の判定よりも前に行う構成としてもよい。
【００４５】
【発明の効果】
請求項１、７の発明は、回転子の位置を検出せずに固定子巻線に通電する通電パターンを順次切り換える同期運転を固定子巻線の転流の周波数がブラシレス運転を可能とするように設定した規定の設定周波数に達するまで行い、同期運転の期間においていずれかの固定子巻線の転流後の規定時点と次の転流前の規定時点との両時点における固定子巻線の通過電流の差を求め、通過電流の差が閾値以下のときに脱調状態と判断するから、起動時における同期運転を確実に行いながらも、脱調状態が生じると起動から短時間で検出することが可能になる。また、従来構成のように転流の周波数をあらかじめ高く設定しておく必要がなく、負荷が比較的小さいときに印加電圧と転流の周波数との比を比較的小さく設定して起動することができるから、比較的小さい電力での起動が可能になる。このことは、駆動回路の発熱量の低減につながり、省エネルギになる。
【００４６】
請求項２、８の発明は、同期運転の期間において脱調が検出されると、転流の周波数に対する印加電圧の比率を大きくして再起動するので、請求項１の構成によって脱調状態を迅速に検出した後に、条件を変えて起動を試みるから、起動に要する時間を短くすることができる。
【００４７】
請求項３、９の発明は、同期運転の期間において脱調が検出されると、脱調状態が解消されるまでの間は、固定子巻線の転流の周波数を変化させずに印加電圧を増加させるので、脱調時において転流の周波数を低下させてトルクを増加させる場合に比較すると、ブラシレス運転に移行させる周波数に達するまでの時間が短くなり、結果的にブラシレス運転に移行させるまでの起動時間を短くすることができる。
【００４８】
請求項４、１０の発明は、同期運転の期間において固定子巻線の転流から固定子巻線の端子電圧が基準電圧に達するまでの位相差が規定値を超えると、転流の周波数に対する印加電圧の比率を大きくするので、負荷が大きくなればトルクを大きくする補正が可能になり、同期運転時の脱調の可能性を低減することになる。
【００４９】
請求項５の発明は、同期運転の期間において、転流の周波数の変化率が大きいほど転流の周波数に対する印加電圧の比率を大きくするから、加速度を大きくする必要があるときにはトルクが大きくなり、確実に起動することができる。
【００５０】
請求項６の発明は、同期運転の期間において、設定周波数と同期運転中の実際の転流の周波数との差が大きいほど転流の周波数に対する印加電圧の比率を大きくするので、同期運転中に転流の設定周波数が変化したとしても、印加電圧を変化させて追随することができる。
【図面の簡単な説明】
【図１】本発明の実施形態を示す回路図である。
【図２】同上における脱調の検出技術を説明する動作説明図である。
【図３】同上に用いる脱調の検出技術を説明する動作説明図である。
【図４】同上における負荷の検出技術を説明する動作説明図である。
【図５】同上における周波数と印加電圧との関係を示す説明図である。
【図６】本発明の実施形態１の処理手順を示す動作説明図である。
【図７】同上の動作説明図である。
【図８】同上の動作説明図である。
【図９】同上の動作説明図である。
【図１０】本発明の実施形態２の処理手順を示す動作説明図である。
【図１１】同上の動作説明図である。
【符号の説明】
１ｕ，１ｖ，１ｗ  固定子巻線
２  回転子
３  インバータ回路
３ａ  ドライブ回路
４  位置検出回路
５  制御回路
１０  直流電動機
Ｅ  直流電源
【図１】
2004229360.tif 000003
【図２】
2004229360.tif 000004
【図３】
2004229360.tif 000005
【図４】
2004229360.tif 000006
【図５】
2004229360.tif 000007
【図６】
2004229360.tif 000008
【図７】
2004229360.tif 000009
【図８】
2004229360.tif 000010
【図９】
2004229360.tif 000011
【図１０】
2004229360.tif 000012
【図１１】
2004229360.tif 000013